(57)【特許請求の範囲】
【請求項１】
前後の胴部帯状体(10)(20)と、これら胴部帯状体(10)(20)の上方部分で、これら前後の胴部帯状体(10)(20)を相互に連結する連結部材(15)と、この連結部材(15)から上方に延設され、且つ先端に引き紐と連結されうる連結具(17)を有する引き紐用連結帯状体(16)とを少なくとも備え、犬等のペットの胴部に着脱自在に取り付けられうる胴輪(1) と、
少なくとも１つの開閉自在の開口部(3a)を有し、且つ内部に物品を収納できる収納部(3) を有し、前記胴輪(1) に着脱自在に取り付けられうるバッグ(2) とから成り、
バッグ(2) の背面部(5) の適宜位置には、胴輪の引き紐用連結帯状体(16)、及び／又は、前後の胴部帯状体(10)(20)に取り付けられうる挿通部(6) 等の取付部材を設け、
この取付部材の上方には、引き紐用連結帯状体(16)の先端に設けられた連結具(17)に係止できるナス環(7) 等の連結係止具を設けたことを特徴とするペット用バッグ付き胴輪。
【請求項２】
少なくとも１つの開閉自在の開口部(3a)を有し、且つ内部に物品を収納できる収納部(3) を有するバッグ(2) であって、
バッグ(2) の背面部(5) の適宜位置には、胴輪の引き紐用連結帯状体、及び／又は、前後の胴部帯状体に取り付けられうる挿通部(6) 等の取付部材を設け、
この取付部材の上方には、引き紐用連結帯状体の先端に設けられた連結具に係止できるナス環(7) 等の連結係止具を設け、
これにより胴輪に着脱自在に取り付けられうることを特徴とするペット用胴輪のバッグ。
【発明の詳細な説明】
【０００１】
【発明の属する技術分野】
本願発明は、犬等のペットの胴部に取り付けて使用するバッグ付き胴輪及びそのバッグに関するものである。
【０００２】
【従来の技術】
従来、ペット用のバッグ付きの胴輪というものは存在していなかったが、単なるペット用胴輪としては次のようなものがある。
特許第２５０６２８５号公報及び実公平２−４６２８０号公報に記載の胴輪が挙げられるが、これらの一例を図６に示す。図６（Ａ）がその全体斜視図、図６（Ｂ）がその一部拡大説明図である。
ここに示された胴輪５０は、前方の胴部帯状体５１と後方の胴部帯状体５２を有し、これら前後の胴部帯状体５１、５２の各端部が連結部材５３によって連結されている。この連結部材５３のそれぞれから上方に向かって引き紐用連結帯状体５４が延設され、これらの引き紐用連結帯状体５４、５４の先端には、引き紐を連結するための連結具としての連結環５５、５５が設けられている。また、引き紐用連結帯状体５４の根本部には、引き紐用連結帯状体５４相互を連結するための係止具５６が設けられ、この係止具５６は着脱自在のものである。更に、前後の胴部帯状体５１、５２の下方部には、前後の胴部帯状体５１、５２の間隔を規制するための間隔規制帯状体５７が設けられている。また、胴部帯状体５１、５２には、その長さを長短自在に調節できる長さ調節具５８、５８が設けられている。
【０００３】
図６（Ｂ）は、係止具５６の部分を拡大して図示しているが、係止具５６は、それぞれの引き紐用連結帯状体５４の根本部の内側に設けられており、一方の引き紐用連結帯状体５４に設けられた嵌合突起６１と、他方の引き紐用連結帯状体５４に設けられた嵌合受部６２とからなるものであり、嵌合突起６１を嵌合受部６２に嵌合させることによって両者が係止され、且つ嵌合突起６１を両側から押圧することによって、両者の係合が解除され、分離されうるものである。
また、前後の胴部帯状体５１、５２の各端部を連結する連結部材５３は、それぞれ金属製の板状体から成り、この連結部材５３の上方に横長の孔部６３を形成して、この孔部６３に引き紐用連結帯状体５４の一方端を取り付け、この孔部６３の下方部に逆ハ状の長孔６４、６４を穿設し、この長孔６４、６４に前後の胴部帯状体５１、５２の端部を取り付けている。
【０００４】
この連結部材５３に形成された、逆ハ状の長孔６４、６４によって、前後の胴部帯状体５１、５２が前後の斜め方向に振り分けられ、犬等のペットの胴部に相応しくフィットすることになるのである。
前後の胴部帯状体５１、５２の下方部を連結する間隔規制帯状体５７は、前後の胴部帯状体５１、５２が必要以上にその間隔が広がってしまうことを防止するものである。
この胴輪を犬に取り付ける場合には、先ず係止具５６を外し、前後の胴部帯状体５１、５２と、間隔規制帯状体５７とによって形成される２つの輪状部分内に犬の前足を挿通させ、前方の胴部帯状体５１を前足の前方の胴部に配置させ、後方の胴部帯状体５２を前足の後方の胴部に配置させて、犬の胴部に装着することができる。その後、上方の係止具５６を係止してこの胴輪を犬の胴部に取り付けることができる。更に、引き紐用連結帯状体５４、５４の上端の連結環５５、５５に、引き紐の一端を連結して使用することができる。
【０００５】
【発明が解決しようとする課題】
上記従来のペット用胴輪は、引き紐を連結して散歩に連れて行くため等に使用され、首輪に代わる物であった。しかも、首輪と比較すれば、ペットの首部に取り付けるのでなく、前足の前後の胴部に取り付けられるため、ペット自身が楽であるというメリットがあった。
しかしながら、ペットの散歩等に際しては、ペット用品等、例えば、ペットフードや、ペットの糞を処理するためのビニール袋等を飼い主自身が所持しなければならなかった。
そこで、本願発明は、ペットの散歩等に際して、飼い主が身軽に出掛けられるように、各種のペット用品を内部に収納することのできるバッグをペット用胴輪に取り付けたものを提供することを課題としている。
更に、バッグが胴輪により確実に取り付けられることも本願発明の課題である。
【０００６】
【課題を解決するための手段】
上記課題を解決するために、本願発明の第１のものは、前後の胴部帯状体１０、２０と、これら胴部帯状体１０、２０の上方部分で、これら前後の胴部帯状体１０、２０を相互に連結する連結部材１５と、この連結部材１５から上方に延設され、且つ先端に引き紐と連結されうる連結具１７を有する引き紐用連結帯状体１６とを少なくとも備え、犬等のペットの胴部に着脱自在に取り付けられうる胴輪１と、少なくとも１つの開閉自在の開口部３ａを有し、且つ内部に物品を収納できる収納部３を有し、前記胴輪１に着脱自在に取り付けられうるバッグ２とから成り、バッグ２の背面部５の適宜位置には、胴輪の引き紐用連結帯状体１６、及び／又は、前後の胴部帯状体１０，２０に取り付けられうる挿通部６等の取付部材を設け、この取付部材の上方には、引き紐用連結帯状体１６の先端に設けられた連結具１７に係止できるナス環７等の連結係止具を設けたことを特徴とするペット用バッグ付き胴輪である。
【０００７】
ここでいう帯状体というのは、帯状のものばかりでなく、紐状のものをも含む概念であり、以下同様である。
この発明においては、バッグ２は、上方の連結係止具と下方の取付部材とによって、胴輪の引き紐用連結帯状体の先端の連結具と引き紐用連結帯状体の上下の２箇所で、或いは、これら２箇所と前後の胴部帯状体との３箇所で、或いは、胴輪の連結具と前後の胴部帯状体との上下の２箇所で取り付けられることとなる。このように、バッグが胴輪に取り付けられているため、バッグは胴輪に安定的に且つ確実に取り付けられ、各種ペット用品をバッグの収納部内に収納しておくことができる。
【０００８】
本願発明の第２のものは、少なくとも１つの開閉自在の開口部３ａを有し、且つ内部に物品を収納できる収納部３を有するバッグ２であって、バッグ２の背面部５の適宜位置には、胴輪の引き紐用連結帯状体、及び／又は、前後の胴部帯状体に取り付けられうる挿通部６等の取付部材を設け、この取付部材の上方には、引き紐用連結帯状体の先端に設けられた連結具に係止できるナス環７等の連結係止具を設け、これにより胴輪に着脱自在に取り付けられうることを特徴とするペット用胴輪のバッグである。
このバッグは、前後の胴部帯状体と、引き紐用連結帯状体及びその先端の連結具を有する各種の胴輪に着脱自在に取り付けて使用することができる。
【０００９】
【発明の実施の形態】
以下、添付の図面と共に本願発明の実施の形態について説明する。図１乃至図５が本願発明の実施形態を図示している。
図１は、本願発明に係るペット用バッグ付き胴輪の実施形態を示す全体斜視図であって、胴輪１とバッグ２を分離した状態を示している。
先ず胴輪１においては、前方の輪状の胴部帯状体１０の両端部が、その上方に位置する係止具１１によって連結及び分離自在に形成されている。同様に、後方の胴部帯状体２０の両端部も、その上方に位置する係止具２１によって連結及び分離自在に形成されている。
係止具１１、２１が上方に設けられていることによって、この胴輪をペットに取り着ける際に、ペットの背中部でこの胴輪を取り付けることができ、便利となる。
【００１０】
係止具１１、２１の両側で左右対称位置に、前後の胴部帯状体１０、２０を連結する連結部材としての連結帯状体１５、１５を１本ずつ設ける。これら連結帯状体１５、１５の略中央部から上方に延長する引き紐用連結帯状体１６、１６を設ける。これら引き紐用連結帯状体１６、１６の上方先端部には、連結環１７、１７を取り着ける。これらの連結環１７、１７が引き紐と連結される連結具となり、引き紐の一端を連結することができる。
連結帯状体１５、１５の更に下方の両側の左右対称位置に、前後の胴部帯状体１０、２０を連結し、前後の胴部帯状体１０、２０が周方向に移動しないようにするためのずれ防止用帯状体１８、１８を形成する。このずれ防止用帯状体１８、１８が犬等の前足の付け根に当たって、それ以上周方向に胴部帯状体１０、２０が移動してしまうことを防止することができる。
【００１１】
更に、この胴輪においては、前後の胴部帯状体１０、２０の中間部で、前記ずれ防止用帯状体１８、１８のすぐ下の位置に、それぞれ２個ずつの接続リング３０、３０を配置し、それぞれの胴部帯状体１０、２０を分割した状態で、これら接続リング３０、３０によって連結している。
この接続リング３０によって、接続リング３０、３０が設けられた位置から下方の胴部帯状体１０、２０は、この接続リング３０、３０を中心として前後に回動しうる状態となる。これにより、胴部帯状体１０、２０は、接続リング３０、３０の下方部分が、前後に開いたり、或いは、両方の胴部帯状体１０、２０が共に前後に移動したりすることが可能となり、ペットの歩行、走行、或いは各種動作に追従して、動くことが可能となるのである。
【００１２】
前後の胴部帯状体１０、２０の下方部には、従来の胴輪と同様に、前後の胴部帯状体１０、２０の間隔が必要以上に広く成りすぎることを防止するために、間隔規制帯状体３１を、前後の胴部帯状体１０、２０の下方部を相互に連結するように形成されている。この間隔規制帯状体３１の両端部は、前後の胴部帯状体１０、２０に固定されていてもよく、また周方向に自由に移動するように取り付けられていてもよい。
また、それぞれの胴部帯状体１０、２０には、その長さが長短調節できるように、長さ調節具３２が設けられている。
【００１３】
次に、上記の胴輪１に着脱自在に取り付けられるバッグ２は、内部に各種のペット用品を収納できる袋状の収納部３と、この収納部３の上方の開口部３ａを開閉するために、収納部３の背面部５から上方に延設された蓋部４とから成るものである。
このバッグ３の背面部５の上方部分には、胴輪１の引き紐用連結帯状体１６を挿通させることができる挿通部６、６が形成されている。この挿通部６が引き紐用連結帯状体１６に取り付けられる取付部材となる。
この挿通部６は、布製の細長い帯状体のものから成り、その両端部分をバッグ３の背面部５に縫着して、その中央部分と背面部５との間に挿通孔６ａが形成されたものである。この挿通孔６ａに胴輪１の引き紐用連結帯状体１６を、その先端部に設けられた連結環１７の部分から挿通させることができる。
【００１４】
挿通部１６は、最低１つ設けられていればよいが、引き紐用連結帯状体１６の長さの長いものもあるため、図１においては、２つ形成したものを示した。引き紐用連結帯状体１６が長い場合には、これら２つの挿通部１６の両方に引き紐用連結帯状体１６を挿通させる。従って、挿通部１６は、少なくとも１つ設けられていればよく、その他必要に応じて適宜複数設ければよい。
この取付部材としての挿通部６によって、バッグ２は、胴輪１に完全に取り付けられ、使用中外れ落ちてしまうということがなくなる。或いは、バッグは胴輪と一体的となり、使用中の振動によってもバッグは胴輪と離れることがない。
【００１５】
挿通部６の上方のバッグ２の上端部分には、連結係止具としてのナス環７を取り付けておく。このナス環７が、胴輪１の引き紐用連結帯状体１６の先端に設けられた連結環１７に連結係止される。これによりバッグ２は、胴輪１から下方にずれ落ちることがない。この連結係止具としてのナス環７は、バッグ２の背面部５の上方部、又は、バッグ２の上端部分の適宜位置に設けることができる。
以上により、バッグ２は、その背面部５に形成された挿通部６の挿通孔６ａに、胴輪１の引き紐用連結帯状体１６を、その先端の連結環１７から挿通させ、挿通後、バッグ２の上端部分に形成されたナス環７を引き紐用連結帯状体１６の先端の連結環１７に連結し、係止することによって、バッグ２が胴輪１に簡単に取り付けられる。バッグ２を胴輪１から取り外す時は、この逆の手順でやはり簡単に取り外すことができる。
【００１６】
更に本願発明のバッグ２には、その背面部５の下方部分に、胴輪１の前後の胴部帯状体１０、２０に取り付けることのできる取付部材としての取付テープ８を設けている。
この取付テープ８は、やはり細長い布製の帯状体のものからなり、この帯状体の中央部分８ａのみをバッグ２の背面部５に縫着し、その両側の端部８ｂ，８ｂを中央部側に折り返して、中央部分８ａに面ファスナーによって着脱可能に接合することができるように構成している。
即ち、縫着された中央部分８ａの表面に面ファスナーの雌部を設け、他方両側の端部８ｂ，８ｂの裏面に面ファスナーの雄部を設けて、両者を相互に接合、及び離脱させることができ、両者を接合したときに、中央部分８ａと端部８ｂとの間に挿通孔８ｃが形成される。この挿通孔８ｃ、８ｃ内に、胴輪１の前後の胴部帯状体１０、２０が挿通されることとなる。
【００１７】
この取付テープ８を胴輪１に取り付けるには、その両側の端部８ｂ、８ｂを中央部分８ａから離脱させ、中央部分８ａと一方の端部８ｂとの間に、前方の胴部帯状体１０を配置し、中央部分８ａと他方の端部８ｂとの間に、後方の胴部帯状体２０を配置させて、両端部８ｂ，８ｂを中央部材８ａに接合することによって行うことができる。
この取付テープ８によって、バッグ２は、上方のナス環７と挿通部６と共に、３箇所で取り付けられることとなり、より安定した状態で確実に胴輪１に取り付けられることとなる。
尚、バッグ２を胴輪１に着脱自在に取り付けるためには、上記の連結係止具７と挿通部６のみ、或いは、連結係止具７と取付テープ８のみが設けられたものであってもよく、更には、上記実施形態のように連結係止具７と挿通部６と取付テープ８の三者を全て設けたものとして実施してもよい。
【００１８】
図２は、上記実施形態における胴輪１で使用されている係止具１１の部分の拡大説明図である。後方の胴部帯状体２０に設けられている係止具２１の構成も係止具１１と同一である。
係止具１１は、胴部帯状体１０の上方に位置する両端部に設けられ、一方の端部には、係止突起１１ａ，１１ａが設けられ、これらの係止突起１１ａ，１１ａと係合する係止受部１１ｂを胴部帯状体１０の他方端部に設けている。１１ｃは、係止突起１１ａを係止受部１１ｂ内に導入するための案内杆である。この案内杆１１ｃを係止受部１１ｂの内部に形成された突条部１１ｄに適合させて、係止突起１１ａ，１１ａを係止受部１１ｂ内部に案内し、両者を係止することができる。
係止を解除する際は、係止突起１１ａ，１１ａを両側から中央部に向けて押圧することによって、係止突起１１ａの係止が解けて、係止突起１１ａを係止受部１１ｂから分離させることができる。この形式の係止具は、既に公知のものである。
【００１９】
図３は、上記実施形態に係るペット用バッグ付き胴輪を犬に取り付けた状態の概略透視説明図である。
先ず、バッグ２は胴輪１に予じめ取り付けておく。
犬の大きさに合わせて、前後の胴部帯状体１０、２０の長さを、長さ調節具３２によって調節する。
上方に設けられた係止具１１、２１を分離する。
係止具１１、２１を分離した後、前後の胴部帯状体１０、２０と間隔規制帯状体３１とによって囲まれた輪状部分に犬の前足をそれぞれ挿入する。
犬の背部に位置する２つの係止具１１、２１を係止することによって、このバッグ付き胴輪が犬の前足の前後の胴部に装着される。
こうして、引き紐用連結帯状体１６、１６の先端部に設けられた連結環１７、１７の両方に、引き紐４０の端部に設けられたナス環４１を連結する。
【００２０】
本願発明に係るバッグ付き胴輪においては、この図３からよく解る通り、犬の前足の前後の動きに合わせて、前後の胴部帯状体１０、２０の両側方部に介在する接続リング３０、３０の下方部が前後に動くことができ、しかも、この動きは、左右それぞれの側で独立に動作する。
更に、ずれ防止帯状体１８、１８の存在によって、このずれ防止帯状体１８がそれぞれの前足の付け根に当たって、それ以上胴輪が周方向に移動してしまうことも防止できる。
そして、バッグ２は、胴輪１の引き紐用連結帯状体１６と、前後の胴部帯状体１０、２０と、連結環１７との３箇所に安定的に取り付けられるのである（図３においてバッグと胴輪との取付部分の図示は、煩雑化を避けるため省略している）。
【００２１】
図４は、本願発明に係るバッグ２の更に他の実施形態を示す分離状態の斜視図であって、胴輪１は前記図１に図示のものと同じものである。
このバッグ２の全体形状は、ほぼ前記実施形態と同じであり、このバッグ２の上方端部分にナス環７が設けられている点も、前記図１に示した実施形態と同様である。しかし、この実施形態においては、取付部材が前記実施形態と相違する。
即ち、この取付部材は、２本の布製の帯状のものからなる挿通部６、６から形成されているが、この帯状の挿通部６の両端部がそれぞれバッグ２の背面部５の縁取部５ａの部分で縫い付けられている。つまり、挿通部６の挿通孔６ａが横に長く形成されることとなる。
これらの挿通部６、６は、横長の挿通孔６ａを有しているために、胴輪１の前後の胴部帯状体１０、２０の両方を共に、その挿通孔６ａ内に挿通させて、胴輪１に取り付けることができるものである。
【００２２】
このバッグ２を胴輪１に取り付ける手順は、胴輪１の係止具１１、２１を相互に分離して、前後の胴部帯状体１０、２０を左右の両側に分離する。図中左側の引き紐用連結帯状体１６の先端の連結環１７、及び、前後の胴部帯状体１０、２０の分離された係止具１１、２１を、バッグ２の背面部５に設けられた下方の挿通部６の挿通孔６ａに挿通させ、更にそのまま上方の挿通部６の挿通孔６ａに挿通させる。引き続きこれらをを上方に引き上げて、挿通部６の挿通孔６ａ内に前後の胴部帯状体１０、２０を共に挿通させることができる。最後に、バッグ２の上方端部分に設けられたナス環７を、胴輪１の引き紐用連結帯状体１６の先端の連結環１７に連結、係止して、バッグ２を胴輪１に取り付けることができる。
この状態で、バッグ付き胴輪を犬等のペットの胴部に取り付ければよいのである。
尚、上記挿通部６は、２本でなく、３本でも４本でも必要に応じて設けることができる。また挿通部６を設ける位置も自由に設定することができる。
このように、この実施形態においては、バッグ２の挿通部６、６は、胴輪１の前後の胴部帯状体１０、２０に取り付けられるものである。
更に、このバッグ２は、図６に図示した従来の胴輪５０に取り付けることもできる。この場合には、胴輪５０の前後の胴部帯状体５１、５２に、或いは、これらと引き紐用連結帯状体５４に取り付けられることとなる。
【００２３】
図５は、本願発明に係るバッグの他の実施形態を示す斜視図であって、その（Ａ）が前面部側からみたもの、その（Ｂ）が背面部側からみたものである。
バッグ２は、上方に開口部３ａが設けられ、各種ペット用品等を収納できる袋形状の収納部３と、収納部３の背面部５から上方に延設された蓋部４とから形成されている。
蓋部４の裏面には、面ファスナー４ａを設け、この面ファスナー４ａと対応する収納部３の前面部９の位置にも面ファスナー９ａを設け、両者が相互に着脱自在に係着できるように構成している。これにより、収納部３の開口部３ａが蓋部４によって開閉されうる。この蓋部４の構成は、前記図１に示したバッグ２の形態と同じである。
蓋部４の開閉は、このような面ファスナーばかりでなく、止めホックや、スライドファスナー等によっても可能である。
【００２４】
収納部３の背面部５は、前記図１に示したバッグの構成とは異なっており、挿通部６は、帯状体のものを縫着するのではなく、背面部５に切込６ａを複数設け、上下の切込６ａに挟まれた部分が挿通部６となる。図示した挿通部６は、切込６ａが４本設けられているため、挿通部６は３つ形成されていることになる。
この挿通部６の下方の任意の切込６ａから上方の任意の切込６ａに、胴輪の引き紐用連結帯状体を挿通させることができる。胴輪の引き紐用連結帯状体を挿入する切込６ａと取り出す切込６ａは、その長さに応じて決定することができる。
また切込６ａは、最低２本設けて、挿通部６を１つだけ設けるようにしてもよいが、実際には、引き紐用連結帯状体の長さを考慮して、予じめ複数設けておくことが望ましい。
この切込６ａを設けたタイプのものにおいては、背面部５の内側に裏布地を設けて、二重構造にしておくことが望ましいが、裏布地を設けなくとも実施可能である。
【００２５】
挿通部６の上方のバッグ２の上端部には、前記図１に示した実施形態と同様に、連結係止具としてのナス環７が設けられている。
また、挿通部６の下方には、取付部材としての取付テープ８、８が設けられている。この取付テープ８は、胴輪の前後の胴部帯状体に取り付けられるものであるが、図１に示した実施形態と異なり、前後の胴部帯状体のそれぞれに係止される独立別個のものとして形成されている。
それぞれの取付テープ８は、布製の細長い帯状体のものから成り、一方の端部８ａの部分を背面部５に縫着し、他方の自由端部８ｂを折り返して前記端部８ａに重ね合わせ、面ファスナー等により接合できるように構成している。この自由端部８ｂを前記端部８ａに接合する際に、挿通孔８ｃが形成されることになる。この挿通孔８ｃのそれぞれに胴輪の前後の胴部帯状体が挿通されることとなる。
この実施形態において、取付テープ８は、胴輪の前後の胴部帯状体に対応させて２つ形成しているが、前後の何れかの胴部帯状体に取り付けられるように、いずれか一方のみ設けたものとして実施することも可能である。
【００２６】
このバッグ２は、図６に図示した従来の胴輪に取り付けることができる。即ち、胴輪５０の引き紐用連結用帯状体５４を、その先端の連結環５５から、挿通部６の上下の切込６ａに挿通させ、連結環５５にバッグ２のナス環７を連結、係止し、その後、バッグ２の取付テープ８の一方の自由端部８ｂを他方の端部８ａから離脱させて、その間に胴部帯状体５１、５２をそれぞれ配置させ、これらの胴部帯状体５１、５２に巻き付けるようにして、自由端部８ｂを他方の端部８ａに係着することによって、バッグ２のそれぞれの取付テープ８が、胴輪の前後のそれぞれの胴部帯状体に取り付くのである。
この実施形態において、バッグの取付テープ８、８は、胴輪の前後の胴部帯状体の形態に合わせて、逆ハ字形状に配置されている。このように取付テープ８のバッグ２への取り付けは、種々必要に応じて変更することができる。
このバッグ２においても、胴輪に着脱自在に取り付けるためには、連結係止具７と挿通部６のみ、或いは、連結係止具７と取付テープ８のみが形成されたものであってもよく、更には、上記実施形態の通り、連結係止具７、挿通部６及び取付テープ８の全てを設けたものであってもよい。
【００２７】
以上、実施の形態について説明したが、本願発明においては以下の通り種々その形態を変更することができる。
上記実施形態においては、胴輪の各帯状体及びバッグは布製で、胴輪の連結環１７及び接続リング３０とバッグのナス環は金属製、胴輪の係止具１１、２１は合成樹脂製であるが、その材質、大きさ等は自由に設計変更することができる。
バッグ２の挿通部６の下方に設けた取付部材としての取付テープ８は、特に設けなくとも実施可能で、少なくとも上端の連結係止具とその下方の挿通部６の両者があれば、バッグ２は胴輪に取り付けることができる。
【００２８】
取付部材としての挿通部６は、図５（Ｂ）に図示した下方の取付テープ８と同様の構成を持つ帯状体によって、即ち、一方の端部を収納部３の背面部５に縫着し、他方の自由端部を折り返して、前記端部に面ファスナー等により着脱自在に接合できるようなものとして形成することもできる。
図１に示した挿通部６及び取付テープ８は、収納部３の背面部５に縫い付けるのでなく、接着剤によって接着してもよい。
更には、バッグ２の取付部材を全て面ファスナーによって形成し、これに接合する面ファスナーを胴輪の対応する位置にも設けて、両者を着脱自在に係着するようにして、バッグ２を胴輪１に取り付けるようにすることもできる。
【００２９】
先端に連結環１７を有する引き紐用連結帯状体１６が設けられる連結部材としては、上記実施形態においては、連結帯状体１５によって形成したが、図６に示した従来の金属製の連結部材であってもよく、これを使用し、この従来例のような連結部材から引き紐用連結帯状体を上方に延設し、その根本部に係止具を設けた胴輪にバッグ２を取り付けることもできる。
係止具１１、２１は、着脱可能に係合しうるものであれば、どのような形式のものでもよい。
前後の胴部帯状体に設けた接続リング３０の形状は、上記実施形態では、上方部が水平で、下方部が円形の略Ｄ字型のリングを用いたが、その形状も自由に設計変更することができる。
この接続リングによって、それぞれの胴部帯状体の下方部が、この接続回動部材の部位を中心として前後に回動しうることとなる。
【００３０】
何れにしても、本願発明においては、胴輪に取り付けられるバッグにその特徴があり、各種の形式の胴輪にこれを取り付けて使用することができるものである。
バッグ２の大きさ、形状等も自由に設計することができる。
その上方端に設けたナス環７も他の形式のものを使用することができ、その取付位置も、バッグ２の上端部、或いはバッグ２の背面部の上方の適宜位置に設ければよく、胴輪１の引き紐用連結帯状体１６の先端に設けた連結具と連結係止できるものであればよい。
バッグ２の開口部３ａの位置も自由であって、上方以外の任意の位置に設けることも出来る。
蓋部４はなくともよく、スライドファスナーにより開口部３ａが開閉出来るものであってもよい。
【００３１】
【発明の効果】
本願の第１の発明に係るペット用バッグ付き胴輪においては、胴輪にバッグが取り付けられているため、このバッグ内に各種のペット用品を収納することができ、便利なものとなり、犬等のペットの散歩に際しても、飼い主自身は、身軽に出掛けることができることとなる。
バッグの上方の連結係止具が、胴輪の引き紐用連結帯状体の先端の連結具と連結係止されるため、バッグが下方にずれ落ちる恐れが無くなる。
引き紐用連結帯状体に取り付けられる取付部材として挿通部が設けられたものにあっては、引き紐用連結帯状体がこの挿通部に挿通されるため、バッグが胴輪から分離される恐れがなくなる。即ち、使用中振動が付加されてもバッグが胴輪から離れず、胴輪と一体的なままの状態を保つことができる。
胴輪の引き紐用連結帯状体と前後の胴部帯状体との両者に取り付けられる取付部材がバッグに設けられたものにあっては、バッグがより安定的に且つ確実に胴輪に取り付けられうる。
【００３２】
本願の第２の発明に係るペット用胴輪のバッグにおいては、上記バッグ付き胴輪のバッグと同様の効果を有し、前後の胴部帯状体と、引き紐用連結帯状体と、その先端の連結具を備えた各種の胴輪に、このバッグを簡単に取り付けて使用することができる。
これにより、各種のペット用品をバッグ内に収納することができ、便利なものとなり、犬等のペットの散歩に際しても、飼い主自身は、身軽に出掛けることができるのである。
【図面の簡単な説明】
【図１】本願発明に係るペット用バッグ付き胴輪の斜視図であって、胴輪とバッグを分離した状態を示す。
【図２】図１に示した胴輪の係止具を示す斜視図である。
【図３】本願発明に係るペット用バッグ付き胴輪の使用状態を示す概略説明図である。
【図４】本願発明の他の実施形態に係るバッグを用いたペット用バッグ付き胴輪の斜視図であって、胴輪とバッグを分離した状態を示す。
【図５】本願発明に係るペット用胴輪に取り付けるバッグの他の実施形態を示し、その（Ａ）が前面部側から見た斜視図、その（Ｂ）が背面部側から見た斜視図である。
【図６】従来のペット用胴輪を示し、その（Ａ）が全体斜視図、その（Ｂ）が係止具の部分の斜視図である。
【符号の説明】
１…胴輪、２…バッグ、３…収納部、３ａ…開口部、４…蓋部、５…背面部、６…挿通部、７…ナス環、８…取付テープ、９…前面部、１０、２０…胴部帯状体、１１、２１…係止具、１５…連結帯状体、１６…引き紐用連結帯状体、１７…連結環
【図１】
0003808165.tif 000002
【図２】
0003808165.tif 000003
【図３】
0003808165.tif 000004
【図４】
0003808165.tif 000005
【図５】
0003808165.tif 000006
【図６】
0003808165.tif 000007